(57)【要約】　　　（修正有）【課題】　ファスナーストリップがマガジンチャンバー内で歪まないことを確保して、工具の故障を防止するために、ガイド部材の配置が容易なマガジンを提供する。【解決手段】　ファスナー駆動工具に使用されるマガジン５０は、チャンバーを画定するハウジング６０及びスライダー７０と、ストリップ状に配置されたファスナー９０を付勢するためにチャンバー内に配置されたフォロアーと、ファスナーを案内するためにチャンバー内に配置された長手方向ガイド部材とを有する。長手方向ガイド部材は、スライダーから内側に延びる２つのフィンガー６８を有し、チャンバー内のファスナー組立体が歪むことを防止する。【選択図】　　　図２
2004106180.tif 000002
【特許請求の範囲】
【請求項１】
　ファスナー駆動工具に使用されるマガジンであって、
　長手方向軸を有するチャンバーを画定するハウジング及びスライダーと、
　前記チャンバー内に配置されるフォロアーと、
　前記チャンバー内の長手方向ガイド部材と、
を有するマガジン。
【請求項２】
　ファスナー駆動工具に使用されるマガジンであって、
　ファスナー組立体を収容するためのチャンバーと、
　前記チャンバーを通して前記ファスナー組立体を付勢するための手段と、
　前記チャンバー内の長手方向ガイド部材と、
を有するマガジン。
【請求項３】
　ファスナー駆動工具に使用されるマガジンであって、
　長手方向軸を有するチャンバーを画定するハウジング及びスライダーと、
　前記チャンバーを通して前記ファスナー組立体を付勢するための手段と、
　前記ファスナー組立体を案内する手段と、
を有するマガジン。
【請求項４】
　前記スライダーが前記ハウジングに摺動式に係合する、請求項１に記載のマガジン。
【請求項５】
　前記スライダーが、マガジンを閉じるために前記ハウジングに対して付勢される脚部を供えたラッチを有する、請求項１に記載のマガジン。
【請求項６】
　前記ラッチが押されることにより、該ラッチの前記脚部が前記ハウジングと係合しなくなる、請求項５に記載のマガジン。
【請求項７】
　前記マガジンが、ヘッドカラー及び先端カラーを備えた照合スリーブによりストリップ状に結合された複数のファスナーを有するファスナー組立体を前進させる、請求項１に記載のマガジン。
【請求項８】
　前記長手方向ガイド部材が、前記スライダーから内側に延びる２つのフィンガーを有するとともに、前記スライダーが閉位置にあるときに前記ファスナー組立体が前記チャンバー内で歪むことを防止する、請求項１に記載のマガジン。
【請求項９】
　前記フィンガーが、前記先端カラーの詰まりによって前記ファスナー組立体が前記チャンバー内で歪むことを防止する、請求項８に記載のマガジン。
【請求項１０】
　前記マガジンは前部及び後部を有し、前記ハウジングが前記前部を有し、前記スライダーが前記後部を有する、請求項１に記載のマガジン。
【発明の詳細な説明】
【技術分野】
【０００１】
　本発明は、ファスナーを収容するとともにファスナー駆動工具に向けてファスナーを案内するためのマガジン及びその組立体に関する。
【背景技術】
【０００２】
　ファスナー駆動工具は、典型的に３つの部分、すなわち点火機構を囲繞する後端部と、鼻部（マズル）及びマガジンを有する前端部と、工具本体を有する中間部とを有する。典型的な工具は、工具本体と、工具本体内に同軸に収容されるバレルとを有する。バレルはピストンを具備してピストンを案内し、ピストンはトリガーにより起動される点火機構によって駆動される。バレル内のバッファ組立体は、ピストンが飛び出すことを防止する。マズルハウジング内に収容されたマズルは、ファスナーが打ち込まれる基板に押圧されたときに、工具本体から前方に延びて、延長位置から点火準備完了位置内に移動可能になる。
【０００３】
　ファスナー駆動工具は、マズルが基板に押圧されたときにのみ点火機構が点火することを確保する圧接安全機能を有することが望ましい。マズルは基板に圧接したときに点火準備完了位置に移動し、それにより点火機構は、トリガーを引くことによって点火可能になる。
【０００４】
　いくつかのファスナー駆動工具においては、ファスナーの装填時間を最小化するためにマズルにマガジンが取り付けられる。多くの場合ストリップ状に接続されてファスナーストリップと呼ばれる複数のファスナーは、マガジン内に装填され、それによりユーザーは、工具を再装填する必要なく複数のファスナーを打ち込むことができる。マガジンは、ファスナーがピストンによって基板内に打ち込まれるように、ファスナーをマズルに向けて付勢するフォロアーを有する。ファスナーストリップは、マガジンチャンバー内において工具の後端部の方向に歪んでしまう傾向がある。マガジンチャンバー内でのファスナーストリップの歪みは、マガジンの故障の原因になる場合がある。
【０００５】
　マガジンを備えたファスナー駆動工具は、特許文献１に開示されている。この工具は、ファスナーストリップを適切に整合する移動可能な固定部材を有する。この移動可能な固定部材は、ファスナーストリップを支持するガイドレールの側部に取り付けられ、ファスナーストリップが工具の後端部に移動することを防止する。ガイド部材は、ファスナースリーブの複数のカラーの間の空間に適合し、ファスナーストリップをマガジン内で真直ぐに保持する。
【特許文献１】米国特許第６，２３７，７４７号明細書
【発明の開示】
【発明が解決しようとする課題】
【０００６】
　この実施形態について考えられる１つの欠点は、ファスナー装填作業において、作業者がフォロアースプリングを固定し、移動可能な固定部材をファスナー装填前にマガジンから引き出し、ファスナー装填後に移動可能な固定部材を押し戻して、フォロアースプリングの固定を解除しなければならないことである。このことは、装填時間を増加させる厄介なプロセスである。
【０００７】
　必要とされることは、ガイド部材の配置が容易なマガジンによって、ファスナーストリップがマガジンチャンバー内で歪まないことを確保し、工具の故障を防止することである。ガイド部材を配置するために必要な手順は、ファスナー装填を迅速にするために可能な限り最小化されるべきである。
【課題を解決するための手段】
【０００８】
　本発明によれば、ファスナー駆動工具に使用されるように構成されるマガジンは、ファスナーストリップがマガジン内で歪むことを防止する長手方向ガイド部材を有する。
【０００９】
　マガジンは、チャンバーを画定するハウジング及びスライダーと、チャンバー内に収容されたフォロアーと、マガジンチャンバー内の長手方向ガイド部材とを有する。スライダーは、開位置から閉位置に移動したときにハウジングに摺動式に係合する。スライダーは、スライダーを閉位置に保持するためにマガジンハウジングに係合する付勢された脚部を備えたラッチを有する。ユーザーがラッチを押したら直ちに、ラッチ脚部がマガジンハウジングと係合しなくなり、スライダーがハウジングに沿って閉位置からマガジン端部に向けて移動可能になる。
【００１０】
　マガジンは、複数の照合スリーブによりストリップ状に結合された複数のファスナーを有するファスナー組立体を前進させ、各照合スリーブはヘッドカラー及び先端カラーを有する。長手方向ガイド部材は、スライダーから内側に延びる２つのフィンガーを有し、２つのフィンガーは、スライダーが閉位置にあるときにファスナー組立体がチャンバー内で歪むことを防止する。ある実施形態においては、フィンガーはファスナー組立体が先端カラーの閉塞によってチャンバー内で歪むことを防止する。
【００１１】
　本発明の他の形態においては、マガジンは前部及び後部を有し、マガジンハウジングはそのマガジン前部を有し、スライダーはそのマガジン後部を有する。
【発明を実施するための最良の形態】
【００１２】
　図１にはマガジン５０を有する新規なファスナー駆動工具１０が示される。工具１０は、長手方向ガイド部材６８（図２参照）を備えたマガジン５０、軸方向固定クラッチ機構１８０（図７参照）及びマズル閉鎖機構１３０（図６参照）を有する。
【００１３】
　図１において工具１０は、軸３を備えた本体３２と、火薬カートリッジ開口部２２と、トリガー２８により起動される点火機構３２０（図３参照）及びハンドル２６を備えた後端部２４と、マズルハウジング４２内に収容された鼻部又はマズル４４を有する前端部４０と、マズル４４に接続されてマズル４４の横方向に延びるマガジン５０とを有する。
【００１４】
　図２において、マガジン５０上の新規な長手方向ガイド部材６８は、マガジン５０を通してファスナー組立体９１をマズル４４内に案内する。長手方向ガイド部材６８は、ファスナー組立体９１が工具１０の後端部２４に向けて歪んでマガジン５０を詰まらせることを防止する。
【００１５】
　図７において、マガジンクラッチ組立体は新規な軸方向固定機構１８０を有し、この機構１８０により、マガジン５０は工具本体の軸３の回りを回動して、予め定めた位置の１つに軸方向に固定可能になる。ある実施形態においては、予め定めた位置は４つある。軸方向固定機構１８０により、ユーザーはファスナー９０を部屋の角及び手が届き難い場所に取り付けるときに、マガジン５０を邪魔にならないように回転させることができる。軸方向固定機構１８０は、工具１０が嵩張って扱いにくくなることを防止しつつ、マガジン５０を工具本体の軸３の回りで回動する方法を提供する。
【００１６】
　図６において、マズル閉鎖機構１３０は、マガジン５０内にファスナー９０が全くないときの工具１０の点火を防止する。マズル閉鎖機構１３０は、打ち込み準備が整ったファスナー９０が全くないときは、点火機構３２０の係合を防止することによって工具１０の損傷を防ぐ。
【００１７】
　工具１０の向きは、マズル４４の方向を前方、後端部２４の方向を後方とする。
【００１８】
　ファスナー組立体
　ストリップ状に結合されたファスナー９０を有するファスナー組立体９１は、図３に示されるように、マガジン５０によってマズル４４に向けて案内されてピストン２１０により駆動される。図２を参照すると、マガジン５０は、照合スリーブ１００によって一列になるように互いに結合された複数のファスナー９０を有するファスナー組立体９１を収容し案内する。照合スリーブ１００は、スリーブリッジ１０２、２つのカラー９２、ヘッドカラー９８及び先端カラー９４を有する。ヘッドカラー９８はファスナーヘッド部分１０６に近接し、先端カラー９４はファスナー先端部分１０４に近接する。ファスナー９０は、図３に示されるように、２つのカラー９２の間の対応する接続部９７によってファスナー組立体９１に結合される。ファスナー組立体９１の両端の２つのファスナー９０の各々は、他の１つのファスナーとのみ結合する。ファスナー組立体９１の残りのファスナー９０は、他の２つのファスナーと結合（すなわち各側で他の１つのファスナーと結合）する。
【００１９】
　マガジン
　図２に示されるように、マガジンチャンバー５５は、スライダー７０とマガジンハウジング６０との間の囲繞された空間によって規定される。ファスナー組立体９１はマガジンチャンバー５５内に配置される。
【００２０】
　図１に示されるように、マガジン５０はスライダー７０、マガジンハウジング６０、及びスライダー７０を閉位置８６の適所に保持するラッチ８０を有する。マガジン５０はマガジンチャンバー５５内にファスナー９０を収容し、ファスナー９０をマズル４４に向けて送る。ラッチ８０が押されてスライダー７０がマガジンハウジング６０のマガジン端部５２に移動すると、マガジンチャンバー５５はファスナー組立体９１の装填準備が整う。
【００２１】
　図１を参照すると、マガジンハウジング６０はマガジン５０の前部であり、ファスナー組立体９１のファスナー先端部分１０４を収容するように構成される。マガジンハウジング６０は略Ｕ字形状断面を有し、少なくとも１つ、好ましくは２つのガイドリッジ６２を有する。ガイドリッジ６２はファスナー組立体９１の先端カラー９４を支持する。マガジンハウジング６０はまた、ラッチ８０に係合する肩６６を有する。ハウジング先端凹部６４は、図５に示されるように、少なくとも１つ、好ましくは２つのフォロアーガイド部材１２４がマガジンハウジング６０を通ることができるように構成される。フォロアー１１０は、ファスナー組立体９１をマズル４４に向けて適切に付勢できるように、マガジンチャンバー５５に正確に整合される必要がある。
【００２２】
　図１に示されるように、スライダー７０はマガジン５０の後部５３に沿って配置される部分であり、マガジンハウジング６０に沿って閉位置８６からマガジン端部５２まで摺動可能である。スライダー７０は、ファスナー組立体９１のファスナーヘッド部分１０６を収容するように構成される（図２参照）。
【００２３】
　図２を参照すると、スライダー７０は、基礎７１及び基礎７１から横方向に延びる２つのアーム７２を備えたＵ字形状の部材である。アーム７２の各々は、マガジンハウジング６０に沿って摺動するスライダーリップ７４によってマガジンハウジング６０に係合する。アーム７２の各々はまた、マガジンチャンバー５５内に２つのフィンガー６８を有し、それによりファスナー組立体９１の先端カラー９４がマガジンチャンバー５５内で正確に整合されて歪まないことが確保される。
【００２４】
　スライダーリップ７４は、マガジンハウジング６０の肩６６の周りに適合するリップ溝７６を有する。リップ溝７６はマガジンハウジング６０に係合したスライダー７０を保持し、それによりスライダー７０が、閉位置８６からマガジン端部５２に向けて摺動するときにマガジン５０に沿って真直ぐに移動することが確保される。
【００２５】
　ファスナー組立体９１がマガジンチャンバー５５内にあるときに歪まないことを確保するために、ファスナー９０の各側に配置される２つのフィンガー６８として長手方向ガイド部材６８が具体化されている。フィンガー６８は、スライダー７０の内表面から延びて、ファスナー組立体９１上の照合スリーブ１００の先端カラー９４とヘッドカラー９８との間の空間に位置する。フィンガー６８は、先端カラー９４とヘッドカラー９８との間に位置するスライダー７０の部分から垂直に延びて、先端カラー９４に向けて湾曲し、ファスナー９０から概ねカラー幅だけ離れてファスナー９０に平行に延びる。フィンガー６８は、先端カラー９４の後方エッジ９６に向かって延び、先端カラー９４の前方エッジ９５がマガジンハウジング６０のガイドリッジ６２と同一高さになったときに、先端カラーの後方エッジから０．０３０インチ（０．７６ｍｍ）の地点まで達する。故にファスナー組立体９１が、マガジン５０内にあるときに後方に０．０３０インチ（０．７６ｍｍ）以上歪むことが防止される。
【００２６】
　従って改良された工具１０は、安定部材６８を備えたマガジン５０を有すると考えることができる。改良されたファスナー駆動工具１０は、軸３を備えた工具本体３２と、工具本体３２から前方に延びるマズルハウジング４２と、マズルハウジング４２内に収容されてマズルハウジング４２から前方に延びるマズル４４とを有する。
【００２７】
　ファスナー９０の装填時間を最小化するために、工具１０はまた、ファスナー組立体９１を保持するためのマガジン５０を有する。マガジン５０はスライダー７０及びフォロアー１１０を有する。フォロアー１１０はマガジン５０内に配置され、マガジン５０を通してファスナー９０をマズル４４内に付勢するように構成される。ファスナー組立体９１はスライダー７０及びマガジンハウジング６０により画定されたマガジンチャンバー５５内に保持され、スライダー７０はマガジンハウジング６０に係合して閉位置８６からマガジン端部５２に移動する。スライダー７０は、マガジン５０を通してファスナー組立体９１をマズル４４に向けて案内する長手方向ガイド部材６８を有する。長手方向ガイド部材６８は、ファスナー組立体９１が歪んでマガジン５０が詰まることを防止する。
【００２８】
　スライダー７０には、スライダー７０が固定された閉位置８６からマガジン端部５２に容易に移動できるようにするためのラッチ８０が取り付けられ、それによりファスナー組立体９１がマガジンチャンバー５５内に配置可能になる。
【００２９】
　好適な実施形態においては、マガジンハウジング６０はマガジン５０の前部５１であり、スライダー７０が後部５３である。ユーザーは、工具１０をファスナーが打ち込まれる基板に向けた状態を維持しつつ、ラッチ８０を押してスライダー７０をマガジン端部５２に引いて、新たなファスナー組立体９１を装填することができる。
【００３０】
　ファスナーの装填
　図１を参照すると、マガジンチャンバー５５を開いてファスナー組立体９１を装填できるようにするために、スライダー７０がマガジン端部５２に向かって移動する必要がある。ラッチ８０は、閉位置８６に固定されたスライダー７０を保持する。ラッチ８０はスライダー７０上の切取部８２を横切る。
【００３１】
　図４に示されるように、切取部８２によって、ラッチ８０のラッチ脚部８８が肩ノッチ６７内に適合することにより肩６６に係合することが可能になる。ラッチ８０は、ロールピン８４によってスライダー７０に回動可能に取り付けられて、ばね８５によって後方に付勢され、ラッチ脚部８８を肩ノッチ６７に係合させる。閉位置８６においては、ラッチ脚部８８は肩ノッチ６７内に適合し、肩ノッチ６７とラッチ脚部８８との当接によって、スライダー７０が閉位置８６からマガジン端部５２に摺動しないように維持される。
【００３２】
　図４を参照すると、ラッチ８０が押されたときは、ラッチ８０は肩６６から離れて前方に移動する。ラッチ脚部８８はもはや肩ノッチ６７に当接せず、ラッチ８０はマガジン端部５２に向かって自由に移動できる。ラッチ８０はロールピン８４によってスライダー７０に取り付けられるので、ラッチ８０が動くとそれに伴ってスライダー７０が引かれる。
【００３３】
　図２を参照すると、スライダー７０が肩６６及びリップ溝７６により案内されてマガジン端部５２に摺動すると、マガジンチャンバー５５が開いてファスナー組立体９１が装填できるようになる。ファスナー組立体９１のマガジンチャンバー５５内への装填は、先端カラー９４の前方エッジがマガジンハウジング６０のガイドリッジ６２に接するまで先端部分１０４をマガジンハウジング６０内に移動させることによって行われる。次にユーザーはスライダー７０をマガジン５０に沿って閉位置８６に摺動させ、肩６６及び相補的リップ溝７６に案内されたファスナーヘッド部分１０６を囲繞し、それによりフィンガー６８が先端カラー９４の後方エッジの０．０３０インチ（０．７６ｍｍ）上方に位置する。フィンガー６８は、ユーザーがスライダー７０を閉位置８６に摺動させたときに、ファスナー組立体９１を案内するための正確な位置に位置する。ユーザーは、スライダー７０をマガジン端部５２から閉位置８６に摺動させてマガジンチャンバー５５を閉じるために必要な時間以外には、フィンガーを整合する余分な時間を費やす必要がない。
【００３４】
　フォロアー
　図３において、マガジン５０内のフォロアー１１０は、ファスナー組立体９１をマズル４４に向けて付勢する。フォロアー突起１１２は、マガジン５０内のファスナー組立体９１上のマズル端部５２に近接配置されたファスナー９０のスリーブリッジ１０２に当接する。フォロアー１１０が定圧コイルばね１１４によりマズル４４に向けて付勢されると、ファスナー組立体９１がマズル４４に向けて引かれる。
【００３５】
　図５は、フォロアー１１０をマガジンチャンバー５５内に正確に整合するカラーリッジ１２２及びフォロアーガイド部材１２４を示す。少なくとも１つ、好ましくは２つのカラーリッジ１２２は、マガジンハウジング上のガイドリッジ６２とスライダー７０上の安定フィンガーリッジ６８との間の空間を通って移動することにより、ファスナー組立体９１の先端カラー９２の通路を通る。少なくとも１つ、好ましくは２つのフォロアーガイド部材１２４は、図２に示されるように、マガジンハウジング６０上のハウジングリッジ凹部６４により形成された空間の中に適合する。カラーリッジ１２２及びフォロアーガイド部材１２４により、フォロアー１１０がマガジンチャンバー５５内を適当に案内されてファスナー９０をマズル４４内に適切に付勢することが確保される。
【００３６】
　図３において、定圧コイルばね１１４はフォロアー１１０をマズル４４に向けて付勢する。定圧コイルばね１１４の一端は、プレート１１６及びネジ１１８によってフォロアー１１０の後方エッジ１１９に接続される。定圧コイルばね１１４の他端は、図３に示されるようにスライダー７０のブッシング１２０の回りに巻かれる。ブッシング１２０は、ラッチロールピン８４の回りに適合する。ファスナー組立体９１がマガジンチャンバー５５内に装填されてスライダー７０が閉位置８６に摺動した後は、フォロアー１１０はマガジンチャンバー５５内のファスナー組立体９１によってマガジン端部５２に残る。定圧ばね１１４は、フォロアー１１０に力を加え、フォロアー１１０及びファスナー組立体９１をマズル４４に向けて付勢する。ファスナー９０がマズル４４から打ち出されてファスナー組立体９１が短くなると、定圧ばね１１４がブッシング１２０の回りに徐々に巻かれてフォロアー１１０をマズル４４の方向に引き、それによりファスナー組立体９１がマズル４４に向けて付勢される。
【００３７】
　工具１０のマガジン５０は、ラッチ８０及び定圧ばね１１４を有する。ラッチ８０により、スライダー７０は閉位置８６に容易に固定可能になる。さらに、ラッチ８０をそれに取り付けられたスライダー７０とともにマガジンハウジング６０に沿ってマガジン端部５２に摺動させることにより、ユーザーはスライダー７０を容易にマガジン端部５２に動かすことができる。
【００３８】
　フォロアー１１０は、スライダーに接続され、ラッチ８０が押されてマガジン端部５２に引かれたときにマガジンチャンバー５５内をマガジン端部５２まで移動する。ファスナー組立体９１がマガジンチャンバー５５内に導入されると、スライダー７０は閉位置８６に摺動し、一方、フォロアー１１０はマガジンチャンバー５５内のマガジン端部５２における適切な位置に留まり、ファスナー組立体９１をマズル４４に向けて付勢する。
【００３９】
　定圧コイルばね１１４はファスナー組立体９１に均一な圧力を加え、ファスナー９０は均一な力によってマズル４４内に送られるので、ファスナー９０は常にマズル４４内に適切に配置される。ファスナー組立体９１がマガジンチャンバー５５内に存することにより、スライダー７０がマガジンハウジング６０に沿ってマガジン端部５２から閉位置８６に移動したときは、定圧コイルばね１１４は巻き戻される。定圧コイルばね１１４は、スライダー７０が閉位置８６に摺動したときにファスナー組立体９１を付勢するように、自動的に適切な配置になる。定圧コイルばねはファスナーの装填中に個別に固定され配置される必要はなく、故にファスナーの装填時間が節約される。
【００４０】
　閉鎖機構
　図６に示されるように、全てのファスナー９０がマズル４４から打ち出されると、工具１０は「ファスナー空状態」１３５になる。閉鎖機構１３０は、マズル４４の点火準備完了位置２への移動を防止することによって、工具１０がファスナー空状態１３５の間は点火しないことを確保する。図７に示されるようにマガジン５０又はバッファ組立体１９０内にファスナー９０が存在せず、図３に示されるように自由に移動可能なピストン２１０によってフォロアー１１０が損傷し得るときは、工具１０は点火しない。
【００４１】
　図６に示されるように、全てのファスナー９０はマズル４４から打ち出され、工具１０はファスナー空状態１３５になる。フォロアー１１０は、ファスナー当接部１１３がマズル４４内に位置する状態で、マズル壁４５の開口部４８内に適合する。閉鎖機構１３０は、マズル壁の面４７により形成されたストッパー４６を有する。ストッパー４６はマズル壁開口部４８によりアクセス可能であり、フォロアー１１０の遮断面１２６に当接する。
【００４２】
　フォロアー１１０の前面１２５は、遮断面１２６を有する。マズル壁４５の露出面４７は、マズル４４がファスナー空状態１３５の間に基板に対して押圧されたときに、フォロアー１１０の前面１２５に接触する。フォロアー１１０は軸方向に移動しないので、フォロアー１１０の前面１２５との接触は、図３に示されるようにマズル４４がマズルハウジング４２と同じ高さであるときに、マズル４４が点火準備完了位置２に至ることを防止する。
【００４３】
　改良されたマズル４４及びフォロアー１１０により、ファスナー空状態１３５の間は工具１０の直接的マズル閉鎖機構１３０が点火を防止することができる。直接的マズル閉鎖機構１３０は、ファスナー空状態１３５の間はマズル４４が点火準備完了位置２に到達せず、ピストン２１０が駆動されず、工具１０がピストン２１０により損傷しないことを確保する（図３参照）。
【００４４】
　図１を参照すると、ファスナー駆動工具１０は工具本体３２、工具本体３２から前方に延びるマズルハウジング４２、及びマズルハウジング４２から前方に延びるマズル４４を有する。マズル４４は点火準備完了位置２に移動可能である（図３参照）。工具１０は、マズル４４に接続されてマズル４４から横方向に延びるマガジン５０を有する。マガジン５０内には、マガジン５０を通してファスナー９０をマズル４４内に付勢するためにフォロアー１１０が配置される。フォロアー１１０はファスナー接触部１１２及び遮断面１２６を有する。図３に示されるように、全てのファスナー９０がマガジン５０を通ってマズル４４内に送られて、ピストン２１０によってマズル４４から打ち出されると、遮断面１２６は、マガジン５０がファスナー空状態１３５にあるときはマズル４４を遮断し、マズル４４が点火準備完了位置２に移動することを防止する。マズル４４が点火準備完了位置２から遮断されているときは工具１０は点火せず、故に工具１０は自由に移動可能なピストン２１０により損傷を受けない状態に保たれる。
【００４５】
　マガジンクラッチ
　図７において、マガジンクラッチは、マズル組立体１４０の一部であるマズル４４に関連付けられた軸方向固定機構１８０により構成される。軸方向マガジンクラッチ１８０は、軸方向の固定力によってマズル組立体１４０をバレル３５に対して軸方向に固定する手段を提供する。従ってマズル組立体１４０及び接続されたマガジン５０は、作業者がマズル組立体１４０に対して適当な係合解除トルクを与えない限りは、工具本体の軸３の回りを回転することができない。
【００４６】
　軸方向固定機構１８０は、雌部材の中に適合する雄部材により構成される。好適な実施形態においては、雄部材は、マズル組立体１４０の後部から突き出るばね付勢式玉軸受１７０である。好適な雌部材は、バッファ組立体１９０の保持プレート１９２上のソケット１９４である。
【００４７】
　軸方向固定機構１８０により、ファスナー駆動工具１０のマガジン５０は、工具を扱いにくくすることなく工具本体の軸３の回りを回転することができる。ユーザーは、マガジン５０を４つの予め定めた場所の１つに回転させることにより、部屋の角及び手が届き難い場所にファスナーを適切に打ち込むように工具を配置することができる。軸方向固定機構１８０により、工具本体３２の胴回りが大きくなり過ぎて工具が扱いにくくなることなく、マガジン５０は工具本体の軸３の回りを回転することができる。
【００４８】
　軸方向固定機構１８０を有するファスナー駆動工具１０は、軸３を備えた工具本体３２と、軸方向に収容されたバレル３５とを有する。バレル３５は、ピストン２１０を収容し案内する。バッファ組立体１９０は、保持プレート１９２を有し、バレル３５内に収容されてピストン２１０の移動を制御する。マズルハウジング４２は工具本体３２から前方に延び、ステータ１５０はバレル３５に共軸に接続されてバレル３５から前方に延びる。マズル組立体１４０はステータ１５０に回転可能に接続され、マズルハウジング４２からマズルハウジング４２を通って前方に延びる。マガジン５０はファスナー組立体９１を保持し、一方の端部においてマズル組立体１４０に接続されてマズル組立体１４０から横方向に延びる。マガジン５０及びマズル組立体１４０は、工具本体の軸３の回りを回転して予め定めた数の解放可能な固定位置に達することができる。軸方向固定機構１８０は、マズル組立体１４０を解放可能に固定し、マズル組立体１４０とバッファ組立体１９０との係合によって、マガジン５０を予め定めた解放可能な固定位置の１つに接続する。
【００４９】
　マズル組立体
　図７において、軸方向固定機構１８０はマズル組立体１４０に関連付けられて、マズル組立体１４０とバレル３５内のバッファ組立体１９０の保持プレート１９４との間に軸方向固定力を提供する。
【００５０】
　軸方向固定機構１８０が関連付けられるマズル組立体１４０は、前端部４１及び後端部４３を有するマズル４４を有し、マガジン５０に接続されてマズルハウジング４２からマズルハウジング４２を通って前方に延びる。バックプレート１７０は、前面１７３、後面１７８及び複数の孔１７２を有し、マズル４４の後端部４３に取り付けられる。マズル４４の後端部４３には、軸方向に延びる複数のチャネル２００が設けられる。マズル４４のチャネル２００内には、ばね１７６と、各々が前面１６１及び後面１６２を有する玉軸受１６０とが収容され、玉軸受１６０はばね１７６によってバックプレート１７０の方向に付勢される。チャネル２００内のばね１７６は玉軸受１６０をバックプレート１７０の孔１７２に向けて付勢し、玉軸受１６０はバックプレート１７０によって玉軸受１６０の後面１６２がバックプレート１７０の後面１７８から外側に面するように保持される。バッファ組立体１９０の保持プレート１９２は、玉軸受１６０の後面１６２を受容するためのソケット１９４を有する。
【００５１】
　ユーザーは、マズル組立体１４０を工具１０から分離して組み立てて、工具１０内に挿入することができる。マズル組立体１４０の構成部材は、工具本体３２内に挿入されて適切に配置されることができない。工具の組立及び修理作業は、マズル組立体１４０によって極めて容易になる。
【００５２】
　図８に示されるように、マズル組立体１４０はマズルハウジング４２からマズルハウジング４２を通って延び、キー１８４及びねじ１８２によって適所に保持される。マズル４４は前端部４１及び後端部４３を有し、概ね後端部に配置された環状の肩１４１と環状の肩１４１から離れて前方に軸方向に延びる主部１４３とを具備する。肩１４１の外径は主部１４３の外径より僅かに大きいため、肩１４１は主部１４３から径方向外側に延びる。
【００５３】
　図７に示されるように、マズル４４の後端部４３は、互いに９０°離れて等間隔配置された４つの軸方向チャネル２００を有し、これらのチャネル２００はばね１７６を収容する。２つのチャネル２００の中間に接するように、軸方向のピンチャネル２０４が設けられる。
【００５４】
　前面１７３及び後面１７８を有するバックプレート１７０は、マズルの肩１４１の後方に配置される。バックプレート１７０は０．１５６インチ（３．９６ｍｍ）より僅かに小さい径の５つの孔を有し、そのうちの４つの孔１７２は互いに９０°離れて等間隔配置され、第５の孔であるピンホール１７４はバックプレート１７０の２つの孔の間に配置される。等間隔配置された４つの孔１７２は、玉軸受１６０を後述のように保持するように構成される。
【００５５】
　引き続き図７を参照すると、バックプレート１７０はマズル４４内の外側スエッジ１５２及び内側スエッジ１５４に取り付けられ、マズル４４に固定される。外側スエッジ１５２はマズル４４の後端部４３の外側リム１５１に沿って延び、内側スエッジ１５４は内側リム１５３に沿って延びる。バックプレート１７０の前面１７３は、マズル４４の後端部４３に対向して保持されるとともに、ピンホール１７４がピンチャネル２０４によって整列するように方向付けられる。ピン１７５はピンホール１７４を貫通してマズル４４のピンチャネル２０４内に適合するので、バックプレート１７０がマズル４４の後部に対向して適切に配置を保つことが確保される。
【００５６】
　複数のチャネル２００内に、各チャネルに１つずつ配置された４つのばね１７６は、上述したように、玉軸受１６０をバックプレート１７０の孔１７２に向けて付勢し、さらに保持プレート１９２の４つのソケット１９４内に付勢する。好適な実施形態においては、ばねは外径０．１４８インチ（３．７６ｍｍ）、長さ５／１６インチ（７．９４ｍｍ）である。
【００５７】
　４つの玉軸受１６０はばね１７６によってバックプレート１７０に向けて付勢され、４つの孔１７２によって保持される。好適な実施形態においては、玉軸受は５／３２インチ（３．９７ｍｍ）径のクロム鋼玉軸受（McMaster Carrの部品番号＃９５２８Ｋ１２）である。玉軸受１６０の後面１６２は、バックプレート１７０の後面１７８から外側に面し、故に軸方向固定機構１８０の雄部材を有する。
【００５８】
　バッファ組立体
　図７において、バッファ組立体１９０は、軸方向固定機構１８０の雌部材を備えたソケット１９４を有する。バッファ組立体１９０は、図３に示されるように、ファスナーの打ち込み中のピストン２１０の飛び出しを防止する２つの部分からなる装置である。バッファ組立体１９０は、保持ケージ１９５及びバッファ本体１９６を有する。保持ケージ１９５は環状の保持プレート１９２を有し、保持プレート１９２は前面１９１及び後面１９３を有する。保持プレート１９２の前面１９１は、互いに９０°離れて等間隔配置された４つのソケット１９４を有する。保持プレート１９２の後面１９３は、バッファ本体１９６に当接する。
【００５９】
　マズル組立体１４０上の４つの玉軸受１６０の後面１６２は、予め定めた４つの位置の１つにおいて、保持プレート１９２の前面１９１に等間隔配置された４つのソケット１９４内に適合する。４つのソケット１９４は、半球状に窪んでおり、０．１５６インチ（３．９６ｍｍ）より僅かに小さい直径を有する。
【００６０】
　マズル組立体１４０上の４つの玉軸受１６０の各々と、保持プレート１９２の前面１９１の４つのソケット１９４の各々との間の係合により、工具本体の軸３の回りの予め定めた４つの位置の１つにマズル組立体１４０及び接続されたマガジン５０を保持するための軸方向固定機構１８０が提供される。ばね１７６が玉軸受１６０に力を与えることにより、係合を解除するために必要なトルクは３〜６インチポンド（０．３〜０．７Ｎ・ｍ）である。このトルクは、工具１０の操作中にマズル組立体１４０及び接続されたマガジン５０を適所に維持するのに十分であるが、作業者がマズル組立体１４０及び接続されたマガジン５０を任意に移動させることができないほど大きくはない。
【００６１】
　製造、修理及び操作を改善するために、マズル組立体１４０は、同じ工具１０内に取り付けられる前に半組立体として組み立てられることが好ましい。
【００６２】
　マズル及びステータの組立体
　図７において、マズル組立体１４０はステータ１５０内に回転可能に収容されるため、マズル組立体は接続されたマガジン５０とともに、静止した工具本体３２及び静止した共軸のバレル３５の中で、工具本体３２の軸の回りを回転することができる。
【００６３】
　マズル４４はステータ１５０に回転可能に接続され、ステータ１５０はバレル３５に接続される。ステータ１５０は略環状形状を有し、一方マズル組立体１４０は略円筒形状を有する。マズル組立体が有する円筒は、マズル組立体１４０がステータ１５０内に適合できるように、ステータ１５０の環状部の内径よりも僅かに小さい外径を有する。
【００６４】
　図８に示されるように、ステータ１５０は前部１５７及び後部１５８を有し、概ね前部１５７に配置された環状フランジ１５９と、フランジ１５９から離れるように後方かつ軸方向に延びる円筒部分１５５とを有する。ステータ１５０は孔１５６を有する。マズルの肩１４１は、ステータ１５０の孔１５６内で径方向に適合する。マズル４４の主部１４３は、マズル４４が回転できるように予め定めた許容差の範囲内で、ステータ１５０内に適合する。
【００６５】
　マズル４４の前端部は、ステータ１５０の後側から孔１５６内に挿入される。マズル４４は、肩１４１の前面がステータ１５０の円筒部分１５５の後面に係合するまでステータ１５０を通して前方に引かれるため、マズル４４はステータ１５０よりも打ち込み方向には移動できない。ステータ１５０は、マズル４４を適所に保持し、一方ではマズル４４に接続されたマガジン５０を工具本体の軸３の回りで回転可能にする。故にユーザーは、手が届き難い場所にファスナー９０を打ち込むために、工具１０をよりよい位置に配置することができる。
【００６６】
　マガジン圧接安全機構
　工具１０を点火するためには、図３に示されるように、マズル４４を基板に圧接させることにより、マズル４４がマズルハウジング４２と同一高さに成る点火準備完了位置２にマズル４４を移動させねばならない。図１に示される安全機構５は、マガジン５０上に引き戻すことのみによって、ユーザーが工具１０を点火準備完了位置２に配置することを簡単に防止できる。工具１０を点火準備完了位置２に配置するためには、マズル４４を基板に対して押圧しなければならない。
【００６７】
　キー１８４は、ねじ１８２によってマズルキー穴１８８内に取付られる。ばね１８６は、マズルハウジング４２のチャネル１９０内に収容される。ばね１８６は、工具１０の前端部４０に向けてキー１８４を付勢する。マズル４４は、基板に押圧されない限り移動できない。マガジン５０上に引き戻すことだけでは、マズル４４は点火準備完了位置２に配置されない。ばね１８６がマズル４４に取り付けられたキー１８４を付勢し、点火準備完了位置２への移動を防止するからである。
【００６８】
　カートリッジ点火機構
　図３に示されるように、ファスナー駆動工具１０は、点火機構３２０により点火される火薬充填カートリッジ３００を有する。複数の火薬カートリッジ３００を工具１０に送ることができるように、カートリッジ３００はカートリッジストリップ３０１上に配置される。カートリッジストリップ３０１は、カートリッジチャネル３０５に沿って点火機構３２０に送られる。工具１０は、工具１０が点火された後にカートリッジストリップ３０１をインデックス付けする前進機構（図示せず）を有することが好ましい。それにより、使用済みカートリッジ３００は点火機構３２０から除去され、新たなカートリッジ３００が点火機構３２０に送られる。さらに好ましくは、前進機構は、工具１０が点火された後にカートリッジストリップ３０１を自動的にインデックス付けする。
【００６９】
　カートリッジ点火機構の一実施例は、本発明の譲受人に譲渡された代理人番号１３８１９号の特許出願「ファスナー駆動工具用のカートリッジストリップ前進機構」に開示されている。この出願の開示内容はこの引用をもって本願明細書への記載に変える。
【００７０】
　工具の操作
　使用時の工具１０においては、上述のように先ずファスナー組立体９１がマガジンチャンバー５５内に装填され、次にスライダー７０の摺動によってマガジンチャンバー５５が閉位置８６に閉鎖される。マズル４４は、点火準備完了位置２に配置されるために基板に押圧されねばならない。次にユーザーはトリガー２８を引いて点火機構を起動しなければならない。点火ピンがカートリッジ３００に衝突し、カートリッジ３００が点火し、燃焼によってピストン２１０が駆動される。ピストン２１０はバレル３５内を前方に移動し、ファスナー９０のヘッド１０６に衝突して、ファスナー９０をマズル４４から基板内に打ち込む。
【００７１】
　ファスナーを手が届き難い場所に打ち込むときは、ユーザーはマガジン端部５２に力を加えてクラッチ機構１８０を利用することにより、マガジン５０を回転させることができる。全てのファスナー９０が付勢されてマガジン５０から基板内に打ち込まれたときは、ユーザーが工具１０を基板に押圧してもマズル閉鎖機構１３０によってマズル４４が点火準備完了位置２に移動できなくなるため、工具１０を点火することはできない。
【００７２】
　要約すると、ファスナー駆動工具１０はマガジン５０上に新規な長手方向ガイド部材６８を有し、ガイド部材６８はマガジン５０を通してマズル４４内にファスナー組立体９１を案内する。このことは、ファスナー組立体９１が工具１０の後端部２４に向かって歪んでマガジン５０を詰まらせることを防止する。工具が有する他の新規な特徴は、マガジン５０が工具本体の軸３の回りで回動して予め定めた４つの位置の１つに軸方向に固定されることを可能にするクラッチ機構１８０である。これによりユーザーは、ファスナーを角部及び他の手が届き難い場所に打ち込むときに、工具１０を適切に配置することができる。工具の他の特徴は、ファスナー９０がマガジン５０内に全くないときに工具１０が点火されることを防止するマズル閉鎖機構１３０である。マズル閉鎖機構１３０は、打ち込み可能なファスナー９０がないときに点火準備完了位置２にマズル４４が移動することを阻止するフォロアー１１０を有することにより、工具１０の点火を防止する。
【図面の簡単な説明】
【００７３】
【図１】ファスナーを工具内に導入するためのマガジンを備えた火薬起動式工具の斜視図である。
【図２】図１の２−２線に沿ったマガジンの底面図である。
【図３】工具及びファスナーストリップの側断面図である。
【図４】スライダーが除去された工具のマガジンの部分図である。
【図５】マガジン内に配置されるときのマズル、フォロアー及びロールピンの図である。
【図６】マズル閉鎖位置におけるマズル、フォロアー及びロールピンの図である。
【図７】工具のマズルの側断面図である。
【図８】マズル組立体の分解図である。
【符号の説明】
【００７４】
１０…工具
４４…マズル
５０…マガジン
６８…ガイド部材
７０…スライダー
９０…ファスナー
９１…ファスナー組立体
１１０…フォロアー
【図１】
2004106180.tif 000003
【図２】
2004106180.tif 000004
【図３】
2004106180.tif 000005
【図４】
2004106180.tif 000006
【図５】
2004106180.tif 000007
【図６】
2004106180.tif 000008
【図７】
2004106180.tif 000009
【図８】
2004106180.tif 000010